(57)【要約】本発明は狭い室内空間用ラケットに関し、全長４３０〜４７０ｍｍ、全幅は１５０〜１８５ｍｍ、ストリング部の長さは２２０〜２２５ｍｍ、シャフト直径は５〜７ｍｍ、シャフトの断面厚さは０．５〜１．５ｍｍであるラケットを提供して、シャトルコックの飛行距離と高さを減少させて狭い空間でも競技が可能にし、また軽くて老弱者及び子供も容易に利用しながら、関節などに無理を与えないようにし、ステップを主とした運動で運動量を増やし、シャトルコックの飛行距離が短くなるので、シャトルコックが頻繁に往復して面白くなり、寸法が小くなってもラケットのシャフトに弾性力が減少されないので、打球の時の衝撃力が吸収されて関節などに無理を与えなく、シャトルコックに弾性力が加えられて十分な飛距離が出るようにし、正確な動作が可能で、国民スポーツとして普及するのに適切である。
2012509132.tif 000002
【特許請求の範囲】
【請求項１】
ストリング部、グリップ、シャフトから構成されるラケットにおいて、ラケットは全長４３０〜４７０ｍｍ、全幅は１５０〜１８５ｍｍ、ストリング部の長さは２００〜２２５ｍｍで、シャフトの直径は５〜７ｍｍ、シャフトの断面厚さは０．５〜１．５ｍｍであることを特徴とする狭い室内空間用ラケット。
【請求項２】
前記ラケットは、重量が５０ｇ〜７０ｇの範囲であることを特徴とする請求項１に記載の狭い室内空間用ラケット。
【請求項３】
グリップは、長さが９０〜１６０ｍｍであるのを特徴とする請求項１に記載の狭い室内空間用ラケット。
【発明の詳細な説明】
【技術分野】
【０００１】
本発明は狭い室内空間で競技が可能にしたラケットに関する。
【背景技術】
【０００２】
ラケットを使う競技には、テニス、バドミントン、スカッシュ、スピードミントンなどがあり、このようなラケットを使う競技は、各競技種別にラケットの大きさや重量、またラケットで打つボール（シャトルコック）などが異なる規格を有している。
【０００３】
この中、バドミントンはネットを中央にしてラケットでシャトルコックを打ってネットを越す競技であって、サーブ権に関係なく、該ラリーで勝った方が得点し、一ゲームで２１点（初等部は１７点）を先取した方が勝利し、２０：２０同点（初等部１６：１６）の場合２点を連続して得点した方が勝利し、２９：２９（初等部２４：２４）の場合、３０点（初等部２５点）に先に到逹した方が勝つ。
【０００４】
このようなバドミントン競技をするために必要な用品は、ラケットとシャトルコック、ネットなどがあり、シャトルコックの飛行曲線に沿って所定の高さと幅を有する空間が要求される。
【０００５】
前記用品の中でラケットを説明すると、図１に示すように、グリップ２、ストリング（ｓｔｒｉｎｇ）部４、前記ストリング部４が設置されたヘッド６、シャフト８、スロート９で構成され、２００〜２５０ｍｍ範囲のグリップ２部分を含んで、全長は６８０ｍｍを、全幅は２３０ｍｍを越えてはならなく、ストリング部４は全長２８０ｍｍ、広さ２２０ｍｍ以内である必要があり、重量、形状、材質に対する制限はない。純木材からなるもの、シャフトのみスチールからなるもの、純スチールからなるものなどがあり、近来は特殊カーボンやファイバー製を多く使用する。ラケットに張るストリング（ガット）は羊の膓で作られたシープ（ｓｈｅｅｐ）が最も弾力性があり、耐久性が強くて選手は大抵試合の時これを使用する。しかし練習の時はナイロンまたはシルク製品を利用したりする。
【０００６】
このようなラケットでシャトルコックを打撃する瞬間にストリングに加えられる衝撃力がシャフトを通じて減殺されるようにしながら、シャトルコックに弾性力を加えるためにシャフトは、長さが長く、中心に中空部が形成された管形に形成されるが、図２に示すように、通常直径は７〜８．５ｍｍで、断面厚さは１．５〜２．５ｍｍである。
【０００７】
また、シャトルコックは、図３及び図４に示すように、鳥の羽根２０を半球状のコルクからなるベース１０に差し立てたもので、重量は４．５〜５．５ｇで、コルクの直径は２．５〜２．８ｃｍであり、羽根の数は１６枚、羽根端からベース上部面までの長さは６．４〜７．０ｃｍであり、羽根端の直径は５８〜６８ｍｍで、ベース１０の上部面と羽根２０の外周面は約６５゜〜７５゜の角を有し、最高速度は３２０ｋｍ／ｈであり、競技者がコートの一隅でアンダーハンドで打って反対側のバックバウンダリーラインの内側の５３〜９９ｃｍの間に落ちなければならない。
【０００８】
また、バドミントンは、シャトルコックが相対的に軽く、羽根が所定の角度に広げられていて、風の影響を多く受けるため、室外で競技をする場合、弱風にもシャトルコックが所望の方向及び距離に飛行することができないという問題が発生されて、競技が中断されたり、競技に対する興味を失うなどの問題点が発生された。これによって、正式競技は外気の通風を全部遮断した室内競技場で行うが、このためには天井は最小９ｍ以上の高さを有する必要があり、コートのラインは幅が単式の場合５．１８ｍ、複式の場合６．１ｍで、両方バックバウンドリラインの間の長さが１３．４ｍで、中心に中央部がｌ．５２４ｍ、支柱側がｌ．５５ｍであるネットが設置され、単式のロングサービスラインはネットから６．７ｍで、複式のロングサービススラインは５．９４ｍである。
【０００９】
しかし、上述した従来のバドミントンの競技のためには、室内空間の天井の高さが最小９ｍ以上である必要があるが、このように９ｍ以上を有する空間は、室内競技場の外にはほとんどないため、一般人が風の抵抗を受けないで競技を行うことが事実上不可能であった。同時に、バドミントンの競技は対応するコートに最大４人しか競技できないため、空間に比べて運動人数の割合が非常に低いという問題点があった。
【００１０】
前述したように、空間対比運動人数の割合が低いにもかかわらず、比較的広くて長いコート規格を決めたのはラケットとシャトルコックの構造による。即ち、従来のラケットとシャトルコックで正確なスイング方法と正確な角度で打撃した場合の飛行経路を適用して、飛行距離及び飛行高さを確保しなければならないためである。
【００１１】
一方、従来のシャトルコックは、１６個の羽根が約７０゜の起立角（ベースと羽根の間の角度）を有するので、飛行中の空気の抵抗を考慮して、十分な飛距離を有するためには打撃の時正確なステップと身振りを保持しなければならない。例えばスマッシュの打撃角度は約６０゜、ハイクリアの角度は８０゜、プッシュは約７０゜で、このような打撃姿勢で手動作とともにステップも正確に踏んでこそ体に無理を与えずに、正確な打撃が可能になる。
【００１２】
しかし、従来のラケットは長くて専門選手ではない一般人はストリング部に正確にシャトルコックを合わせにくく、このようにシャトルコックを正確に合わせることができないため、ラケットにシャトルコックを合わせることにのみ神経が集中されて、手の動作とステップを含む姿勢が正しくならなくて、運動した後関節等に無理を感じる問題点があり、このような関節に発生される無理による痛症をテニスエルボー（医学用語では、上腕骨外側上顆炎）と言い、原因は肘から手の平に至る骨を包んでいる筋が部分的に破裂されることにある。
【００１３】
このようなテニスエルボーで筋の破裂は、球またはシャトルコックがラケットに当たった時に発生する振動が腕に刺激を与えるため発生し、とても重いラケットを使用したり、グリップサイズが合わない場合、また、ストリング（ラケットのフレームに横縦に張った紐）の強度が適当でなくても発生することができる。また、前述したように、ラケットで球またはシャトルコックを合わせることばかり集中してステップに気を使わないで腕のみ使う誤ったストロークも主要原因として作用する。
【００１４】
また、シャトルコックがラケットに当たる瞬間発生される振動は、シャトルコックの重さが重いほど大きくなるため、最大限に軽いシャトルコックを使う場合が関節等に無理を与えなくなる。
【００１５】
一方、前記バドミントンが風の抵抗をたくさん受けるので、これを改善するためにバドミントンとテニスの要素を持ったスピードミントンが普及されており、これはバドミントンシャトルコックのベースをコルクではないゴム材質にして重くしたスピードを利用して、バドミントンに比べて速度感を改善することによって風の抵抗を少なく受けるようにした。
【００１６】
しかし、前記スピードミントンのスピーダーは、シャトルコックより重くて関節に悪い影響を及ぼし、速度が早くて老弱者や子供には向かず、コートの規格も５．５ｍの正方形を１２．８ｍ離れて使用するので、総２３．８ｍの空間が要求されて室内では競技の不可能な問題点がある。
【００１７】
テニスもボールが重くて且つ速度が早くて、広いコートが要求されて室内で楽しむには向かない。
【００１８】
同時に、大韓民国公開特許１０−２００４−００２５５０７号には室内で競技が可能で、老弱者や子供に負担を与えないように、ラケットの寸法を従来に比べて短くした技術が公開されているが、これは従来のラケット材質をそのまま使いながら単純にラケットの長さだけ短くしたもので、明細書の詳細な説明で幅や直径などの材質に対する寸法の変更に対する記載は見つかることができない。
【００１９】
このように従来のラケットの材質をそのまま使ったラケットの場合、直径は同じであるが、長さだけ短くなって弾性力が減少されるので、シャトルコックとの衝撃の時発生される衝撃力がそのままグリップを通じて使用者に伝わってしまい、打撃の時シャフトで弾性力が発生されないのでシャトルコックの飛行距離が使用者のスマッシュ速度と打球力及びストリングのテンションのみに依存して、シャフトのテンションは期待することができなくなって、従来のラケットを使った場合と同じ力で打撃しても飛行距離が大幅に短くなるという問題点があった。
【００２０】
このように衝撃を吸収することができないため関節などに無理を与えることになり、シャトルコックの打撃の時テンションがなくて使用者はスマッシュ動作を過度にすることから、競技を行う時に容易に疲れるという問題点があり、シャフトで弾性力が発生されなくてシャトルコックがラケットに当たる時弾む形象が発生されて、精巧さを要する狭い空間におけるプレー、特にヘアピン、ドライブ、スマッシング、リターン等を正確にすることが困難であり、スマッシングにパワーがなくなるという問題が発生された。
【先行技術文献】
【特許文献】
【００２１】
【特許文献１】大韓民国公開特許１０−２００４−００２５５０７号
【発明の概要】
【発明が解決しようとする課題】
【００２２】
上述したような狭い空間のために、従来使用した材料そのまま寸法のみを縮小したラケットで発生される問題点である打撃感の低下及び精密な技術駆使の困難、関節等に発生される衝撃を緩和するようにラケットの構造を改善することに本発明の目的がある。
【課題を解決するための手段】
【００２３】
上述した目的を果たすための本発明の特徴は、全長４３０〜４７０ｍｍ、全幅は１５０〜１８５ｍｍ、ストリング部の長さは２００〜２２５ｍｍの規格を有し、シャフトの直径は５〜７ｍｍ、シャフトの断面厚さは０．５〜１．５ｍｍを有するラケットにある。
【００２４】
また、前記ラケットは、重量が５０〜７０ｇである。
【００２５】
同時に、グリップは、最大限に短く形成するが、長さを９０〜１６０ｍｍ範囲にする。
【発明の効果】
【００２６】
上述したように構成された本発明によれば、ラケットの全体重さが従来に比べて軽くなるので、シャトルコックの打撃の時使用者に無理を与えず、子供や老弱者等も簡単に競技を楽しむことができる。
【００２７】
また、直径と全長が従来のラケットに比べて大幅に減少されながら、シャフトの直径及び断面厚さも小さくなるので、シャフトが従来のラケットと同じ弾性力を有することになるので、小さくなったラケットを使っても打撃の時発生される振動をシャフトで吸収するので、テニスエルボーのような打撃が発生される振動によって発生される疾患が減少される效果を奏する。
【００２８】
また、打撃の時シャトルコックに弾性力を加えるので、シャトルコックに力が入って、飛行距離が単純に長さだけ短くしたラケットに比べて向上し、これによってスマッシュなどに過度な動作が要求されなくなり、正確なプレーを駆使することができるようになって、競技が面白くなる效果を奏する。
【００２９】
また、ラケットの全長が短くなりながら、シャトルコックを当てることが従来の長さが長いラケットに比べて容易になるので、競技に対する興味を誘発することができるという效果を奏する。
【００３０】
同時に、ラケットが短く構成されて、従来の９ｍ以上要求された天井の高さが３ｍ〜４ｍ程度に低くなって、室内どこでもシャトルコックとラケットで競技を楽しむことができるという效果を奏する。
【００３１】
また、ラケットが短くなってシャトルコックを当てることが容易であるので、単純にラケットでシャトルコックを当てるだけでなく、正確な腕動作や足動作にも気を使うことができるので、誤った腕動作と足動作によって関節等に無理を与えること防止することができ、且つ運動效果が改善される。
【００３２】
ラケットの長さが短くなりながら、シャトルコックを打球の時加えられる衝撃力が小くなって従来のラケットに比べてシャトルコックの破損率が大幅に減少され、シャトルコックは破損されると廃棄処分されるが、本発明のラケットによれば、シャトルコックの廃棄率が大幅に減少されて、資源節減の效果を奏するとともに、シャトルコックの購入に必要となる費用も大幅に低減させる效果を奏する。
【図面の簡単な説明】
【００３３】
【図１】従来のラケットを示す図面である。
【図２】従来のシャフトの断面図である。
【図３】従来のシャトルコックの斜視図である。
【図４】従来のシャトルコックの側断面図である。
【図５】本発明によるラケットを示す図面である。
【図６】本発明によるシャフトの断面図である。
【図７】シャトルコックの構造を示す図面である。
【図８】ネットの規格を示す図面である。
【図９】コートの規格を示す図面である。
【図１０】従来のラケット用品と本発明のラケット用品を使った場合シャトルコックの軌跡を示す図面である。
【発明を実施するための形態】
【００３４】
以下、本発明の実施形態を添付図面を参照して詳しく説明する。
【００３５】
図５は本発明によるラケットを示す図面であり、図６は本発明によるラケットの断面図であり、図７は本発明のラケットを利用する時一緒に使うのに好ましいシャトルコックの構造を示す図面であり、図８はネットの規格を示す図面であり、図９はコートの規格を示す図面であり、図１０は従来のラケット用品と本発明のラケット用品を使用した場合のシャトルコックの軌跡を示す図面である。
【００３６】
本発明によるバドミントン用品は大体ラケットとシャトルコック及びネットで構成される。
【００３７】
上記でラケットは図５に示すように、一般のバドミントンラケットは重量の規定がないが、本発明はシャトルコックの距離があんまり長くならないようにするために重量を５０ｇ〜７０ｇの範囲にし、全長４３０〜４７０ｍｍ、全幅は１５０〜１８５ｍｍ、ストリング部１１０の長さは２００〜２２５ｍｍで、グリップ１２０とシャフト１３０及びスロート１４０の寸法は総２３０ｍｍ〜２５５ｍｍの範囲で調整する。
【００３８】
また、シャフト１３０は、図６に示すように、直径が５〜７ｍｍで、断面厚さは０．５〜１．５ｍｍにする。
【００３９】
また、グリップ１２０は長さを９０〜１６０ｍｍにするが、これはグリップを取る時便利にしながら、グリップの寸法を最小化するためである。
【００４０】
また、ストリングの間隔は一辺が０．６〜１．２ｃｍの四角形になるようにするが、これは後述するシャトルコックが寸法が小さくなっただけ狭く形成して、打球の時シャトルコックがストリングの間に挟まることが発生されないようにする。
【００４１】
前記ラケットと共に狭い室内空間で競技ができるようにする最適のシャトルコック構造は、図７に示すように、コルク材質ベース２１０の直径が１７〜２２ｍｍ、１０〜１４個で構成された羽根２２０が前記ベース２１０の上部面に所定の間隔で差し立てられ、前記ベース２１０の上部面から羽根２２０の最後まで垂直長さが６５〜７３ｍｍ、ベース２１０の上部面と羽根２２０との間の起立角は６０゜〜７０゜、総重量は２．１ｇ〜２．６ｇを有する。
【００４２】
一方、上述したように構成されたシャトルコックは、アンダーハンドのフルストロークで打った時、打球位置から５ｍ〜７．１ｍ間に着地されなければならない。
【００４３】
ネットは、図８に示すように、中心高さ１．４５ｍ、支柱側高さ１．４７ｍ、幅４．３ｍで構成され、ネットの網目は一辺が１〜１．８ｃｍである四角形にする。
【００４４】
また、コートは、図９に示すように、長さ８．６ｍ、幅４．３ｍで、ネットを中心にショートサービスラインは１．３３ｍ、複式ロングサービスラインはネットから３．８８ｍ、単式ロングサービスラインはネットから４．３ｍに位置し、コートの幅は複式サイドラインとして使用され、単式サイドラインはコート幅から内側にそれぞれ０．４２ｍ入った位置に位置される。
【００４５】
以上のように構成されたラケットによれば、ラケットの長さが短くなりながら、ラケットとシャトルコックの打撃位置が体から近くなるので、ラケットでシャトルコックを当てることが容易になり、打撃位置が低いのでシャトルコックの飛行高さが低くなる。
【００４６】
同時に、本発明のラケットに符合するシャトルコックは、ベースの大きさが大幅に減少され、羽根の数が減少されて全体的に大きさが小くなり、重量が従来に比べて大幅に減少され、羽根の起立角が従来に比べて細くなるので、走行中に空気の抵抗をたくさん受けて、従来に比べて飛行高さが低くなり、飛行距離が短くなる。
【００４７】
このような走行距離及び高さを図１０を参照して説明すると、図１０の点線はロングハイサービスの時の従来のバドミントンラケットとシャトルコックの使用の時の飛行軌跡を示し、実線は本発明のラケットとシャトルコックを使ったロングハイサービスの時のシャトルコックの飛行軌跡を示すもので、本発明の飛行軌跡が従来に比べて低くて短いことが分かる。
【００４８】
これによって、本発明のラケットとこれに適合するシャトルコックを使う場合、シャトルコックの飛行高さが低くなり、飛行距離が短くなるので、室内で運動が可能であり、通常３〜４ｍ高さの室内で競技が可能になる。
【符号の説明】
【００４９】
１１０：ストリング部  
１２０：グリップ
２１０：ベース  
２２０：羽根
【図１】
2012509132.tif 000003
【図２】
2012509132.tif 000004
【図３】
2012509132.tif 000005
【図４】
2012509132.tif 000006
【図５】
2012509132.tif 000007
【図６】
2012509132.tif 000008
【図７】
2012509132.tif 000009
【図８】
2012509132.tif 000010
【図９】
2012509132.tif 000011
【図１０】
2012509132.tif 000012
【国際調査報告】
2012509132.tif 000013
2012509132.tif 000014
2012509132.tif 000015
2012509132.tif 000016